(57)【要約】【課題】均一発光の効率を向上でき、断線の虞がなく、効率的に放熱できる照明器具を提供する。【解決手段】照明器具１０は、同一平面上に配置される複数の第１ＬＥＤ２０と、第１ＬＥＤ２０の間から照射するように、第１ＬＥＤ２０よりも奥まった位置に配置される複数の第２ＬＥＤ２５とを備える。【選択図】図１
2013004451.tif 000002
【特許請求の範囲】
【請求項１】
同一平面上に配置される複数の第１ＬＥＤと、
前記第１ＬＥＤの間から照射するように、前記第１ＬＥＤよりも奥まった位置に配置される複数の第２ＬＥＤとを備える照明器具。
【請求項２】
請求項１に記載の照明器具において、
前記第１ＬＥＤを取り付けるための取付部材に開口部を有し、
前記第２ＬＥＤは、前記取付部材の前記開口部に対応する位置に配置される照明器具。
【請求項３】
請求項１または請求項２に記載の照明器具において、
前記取付部材が、凹凸断面を有し、前記取付部材の凸面に前記第１ＬＥＤを配置し、前記取付部材の凹面に前記第２ＬＥＤを配置する照明器具。
【請求項４】
請求項２または請求項３に記載の照明器具において、
前記取付部材が、熱伝導性を有する材料で成形される照明器具。
【請求項５】
請求項１ないし請求項４のうちのいずれか１項に記載の照明器具において、
前記第１ＬＥＤを全点灯または調光させる第１点灯回路と、
前記第２ＬＥＤを全点灯または調光させる第２点灯回路とを備える照明器具。
【請求項６】
請求項１ないし請求項５のうちのいずれか１項に記載の照明器具において、
前記第１ＬＥＤと前記第２ＬＥＤとは、異なる種類である照明器具。
【発明の詳細な説明】
【技術分野】
【０００１】
本発明は、天井面に取り付けられるシーリングライト等に適用される照明器具に関する。
【背景技術】
【０００２】
従来より、被写体を照らす少なくとも一つの照明モジュールが、ハウジング内に収容され、光源と光学手段とを有する照明器具が知られている（例えば、特許文献１参照）。
特許文献１は、照明モジュールが、少なくとも１つのＬＥＤおよびＬＥＤと協働する光学系を有する少なくとも２つの異なる種類の照明ユニットを有する。
特許文献１は、ＬＥＤおよび光学系が、光源および光学手段を各々構成する一方、照明ユニットが、動作中被写体の対応する一部を照らし、ＬＥＤが、動作中一定の光束を供給する。
【先行技術文献】
【特許文献】
【０００３】
【特許文献１】特許第４０１４２２７号公報（図２、請求項１）
【発明の概要】
【発明が解決しようとする課題】
【０００４】
特許文献１は、ＬＥＤにより発生された光をより効率よく利用できる。
特許文献１は、ＬＥＤと、ＬＥＤと協働する光学系がハウジング内に設けられているために、任意に照らす方向や範囲をあらかじめ決めることができる。
特許文献１は、配光に関して、各照明モジュールの光束の制御または、ある照明モジュールの個別の照明ユニットの光束の制御を通じてフレキシブルに調整できる。
【０００５】
しかし、特許文献１は、以下の三つの課題を有する。
課題の一つ目は、均一な配光を行ったうえで、その均一配光上に別の照射光をさらに施すことができるものの、個々の照明モジュールが同一基板に取付けられている。
そのため、同一の基板の中から均一発光のための照明モジュールと、別の照射のための照明モジュールとを選択する必要が生じ、別の照射の真下をカバーするので、均一発光の効率が悪くなることである。
課題の二つ目は、均一配光やスポット光を生成するために、照明モジュールを適宜可動して調整する必要があるために、ＬＥＤの点灯のための配線に可動部分が生じて断線しやすくなることである。
課題の三つ目は、同一の基板上に光源が並ぶために、放熱を効率的に行えないことである。
【０００６】
本発明は、前述した課題を解決するためになされたものであり、その目的は、均一発光の効率を向上でき、断線の虞がなく、効率的に放熱できる照明器具を提供することにある。
【課題を解決するための手段】
【０００７】
本発明に係る照明器具は、同一平面上に配置される複数の第１ＬＥＤと、前記第１ＬＥＤの間から照射するように、前記第１ＬＥＤよりも奥まった位置に配置される複数の第２ＬＥＤとを備える。
【０００８】
本発明に係る照明器具は、前記第１ＬＥＤを取り付けるための取付部材に開口部を有し、前記第２ＬＥＤは、前記取付部材の前記開口部に対応する位置に配置される。
【０００９】
本発明に係る照明器具は、前記取付部材が、凹凸断面を有し、前記取付部材の凸面に前記第１ＬＥＤを配置し、前記取付部材の凹面に前記第２ＬＥＤを配置する。
【００１０】
本発明に係る照明器具は、前記取付部材が、熱伝導性を有する材料で成形される。
【００１１】
本発明に係る照明器具は、前記第１ＬＥＤを全点灯または調光させる第１点灯回路と、前記第２ＬＥＤを全点灯または調光させる第２点灯回路とを備える。
【００１２】
本発明に係る照明器具は、前記第１ＬＥＤと前記第２ＬＥＤとは、異なる種類である。
【発明の効果】
【００１３】
本発明に係る照明器具によれば、均一発光の効率を向上でき、断線の虞がなく、効率的に放熱できるという効果を奏する。
【図面の簡単な説明】
【００１４】
【図１】本発明に係る第１実施形態の照明器具の斜め上方から視た分解斜視図
【図２】本発明に係る第１実施形態の照明器具の回路構成図
【図３】本発明に係る第１実施形態の照明器具の点灯シーケンス図
【図４】本発明に係る第１実施形態の照明器具の第１ＬＥＤの点灯時の配光特性図
【図５】本発明に係る第１実施形態の照明器具の第１ＬＥＤと第２ＬＥＤとの点灯時の配光特性図
【図６】本発明に係る第２実施形態の照明器具のＬＥＤ周りの外観斜視図
【図７】本発明に係る第２実施形態の照明器具の垂直断面図
【図８】本発明に係る第３実施形態の照明器具のＬＥＤ周りの垂直断面図
【発明を実施するための形態】
【００１５】
以下、本発明に係る複数の実施形態の照明器具について図面を参照して説明する。
（第１実施形態）
図１に示すように、本発明に係る第１実施形態の照明器具１０は、外枠１２および天板１３からなる器具本体１１を備えてシーリングライトに適用される。
照明器具１０は、天板１３の下面に取り付けられる第１ＬＥＤ基板１５を有する第１ＬＥＤユニット１４を備える。
照明器具１０は、第１ＬＥＤユニット１４の第１ＬＥＤ基板１５の上面に取り付けられる第２ＬＥＤ基板１７を有する第２ＬＥＤユニット１６と、外枠１２に取り付けられる透過性を有するカバー１８とを備える。
【００１６】
器具本体１１は、天板１３の上面の中央部に、不図示の天井面に設置されている同じく不図示の引掛シーリングに機械的および電気的に接続される取付アダプタ１９が取り付けられる。
第１ＬＥＤユニット１４の第１ＬＥＤ基板１５は、器具本体１１の天板１３に相似する四角形の板形状に形成された取付部材であって、熱伝導性を有する材料で成形されており、下面に複数の第１ＬＥＤ２０が封止される。
第１ＬＥＤ基板１５は、側縁部に第１点灯回路２１と第２点灯回路２２とが取り付けられる。
第１ＬＥＤ基板１５は、第１点灯回路２１および第２点灯回路２２とともに、取付アダプタ１９から配線が引き回されることなく配策される。
第１ＬＥＤ基板１５は、第１ＬＥＤ２０に対応しない位置に、複数の開口部２３を有する。
第１ＬＥＤ基板１５は、その四隅に支持部材２４の下端部が取り付けられる。支持部材２４は、あらかじめ定められた高さ寸法を有する棒部材であって、熱伝導性を有する材料で成形される。
支持部材２４は、上端部が器具本体１１の天板１３の下面の四隅に取り付けられる。支持部材２４は、熱伝導性を有するために、同じく熱伝導性を有する第１ＬＥＤ基板１５に生じた第１ＬＥＤ２０の熱を天板１３に効率よく伝播できる。
【００１７】
第２ＬＥＤユニット１６の第２ＬＥＤ基板１７は、第１ＬＥＤ１５よりも小さい外形で略コ字形状に形成された取付部材であって、熱伝導性を有する材料で成形されており、下面に複数の第２ＬＥＤ２５が封止される。
第２ＬＥＤ２５は、第１ＬＥＤ２０に対して奥まって配置される。
第２ＬＥＤ基板１７は、第１ＬＥＤ基板１５および上方の空間を通じて器具本体１１の天板１３に放熱経路を有する。
第２ＬＥＤ基板１７は、取付アダプタ１９から配線が引き回されることなく配策される。
第２ＬＥＤ基板１７は、その下面において、第２ＬＥＤ２５を囲むように、略半球形状に形成された反射板２６の上端頂部が取り付けられる。
反射板２６は、第１ＬＥＤ基板１５の開口部２３に一致して第１ＬＥＤ基板１５に下端部が取り付けられる。
反射板２６は、第２ＬＥＤ基板１７および第１ＬＥＤ基板１５に熱的に接続される。
そのため、反射板２６が第２ＬＥＤ基板１７および第１ＬＥＤ基板１５の放熱経路になる。
【００１８】
図２に示すように、照明器具１０は、商用交流電源ＡＣに第１点灯回路２１と第２点灯回路２２とが並列に接続される。
第１点灯回路２１が駆動されることにより、第１ＬＥＤ２０に電流ｉ１が流れる。
第２点灯回路２２が駆動されることにより、第２ＬＥＤ２５に電流ｉ２が流れる。
このとき、第１ＬＥＤ２０のみを点灯したり、第２ＬＥＤ２５のみを点灯したりすることにより、様々なパターンの配光が利用できる。
【００１９】
第１点灯回路２１および第２点灯回路２２は、個別に調光してもよく、例えば、０から１００％の調光比まで可変できる。
なお、第１点灯回路２１は、複数の第１ＬＥＤ２０のうちの選択されたものを任意に調光したり、消灯したりするようにできる。
また、同様にして、第２点灯回路２２は、複数の第２ＬＥＤ２５のうちの選択されたものを任意に調光したり、消灯したりするようにできる。
【００２０】
図３に示すように、照明器具１０は、第１点灯回路２１が、時点Ｔ１の以後の時点Ｔ２において、第１ＬＥＤ２０を１００％で点灯させる。
また、第１点灯回路２１は、時点Ｔ３の以後の時点Ｔ４および時点Ｔ５において、第１ＬＥＤ２０を１００％〜０の間で任意に調光させる。
そして、第２点灯回路２２は、第１点灯回路２１に独立して、時点Ｔ２から時点Ｔ３までの間に、第２ＬＥＤ２０を０〜１００％〜０の間で任意に調光させる。
さらに、第２点灯回路２２は、第２ＬＥＤ２５を時点Ｔ４において点灯させ、以後の時点Ｔ５までの間に第２ＬＥＤ２５を１００％〜０の間で任意に調光させる。
加えて、第２点灯回路２２は、時点Ｔ６の以後に、第２ＬＥＤ２５を３％のレベルで点灯させる常夜灯モードを行う。
【００２１】
このとき、第１ＬＥＤ２０を白色に、これとは異なり、第２ＬＥＤ２５を電球色にそれぞれ設定することにより、白色のベース光の中に、時点Ｔ２〜時点Ｔ３の間だけ、電球色のスポットを生成できる。
なお、第１ＬＥＤ２０と第２ＬＥＤ２５とは、それぞれの種類が反対であってもよく、それらが、第１ＬＥＤ基板１５および第２ＬＥＤ基板１７に混在するようにしてもよい。
【００２２】
次に、照明器具１０の詳細構造および配向特性について説明する。
図４に示すように、第１点灯回路２１により第１ＬＥＤ２０のみが点灯される。
第１ＬＥＤ２０が出射した光は、カバー１８を通じて床面である照射面を照射する。
このとき、第２ＬＥＤ２５は、点灯されていない。
そのため、第１ＬＥＤ２０からの光のみによる配光特性の照射範囲Ａ１が生成される。
照射範囲Ａ１は、均一な照度を取得できる。
【００２３】
図５に示すように、第１点灯回路２１により第１ＬＥＤ２０が点灯されると同時に、第２点灯回路２２により第２ＬＥＤ２５が点灯される。
第１ＬＥＤ２０が出射した光は、カバー１８を通じて床面である照射面を照射する。
第２ＬＥＤ２５が出射した光は、反射板２６により反射されて集光され、第１ＬＥＤ基板１５の開口部２３およびカバー１８を通じて床面である照射面を照射する。
そのため、第１ＬＥＤ２０からの光による配光特性の照射範囲Ａ１の中に、第２ＬＥＤ２５からの光によるスポット光の配光特性の照射範囲Ａ２が生成される。
これにより、ユーザーは、同一のカバー１８を通して異なる配光を取得できる。
そのため、カバー１８の部分以外に、スポット光を生成するためのランプ等を追加する必要がなく、外観面ですっきりとした意匠でありながら、複雑な配光を生成できる。
なお、反射板２６に代えて、レンズ等を用いてもよく、反射板２６にレンズ等を加えてもよい。
【００２４】
以上、説明した本発明に係る第１実施形態の照明器具１０によれば、第１ＬＥＤ２０よりも奥まった位置に第２ＬＥＤ２５が配置されるために、照射のための効率を低下させずに、第１ＬＥＤ２０および第２ＬＥＤ２５により同一箇所を照らすことができる。
また、照明器具１０によれば、第１ＬＥＤ２０のみ、または、第２ＬＥＤ２５のみ、あるいは、第１ＬＥＤ２０および第２ＬＥＤ２５の色々な配光パターンが可能となり、任意に設定できる。
そして、照明器具１０によれば、奥まった位置の第２ＬＥＤ２５に反射板２６を装着しても、第１ＬＥＤ２０の配光を妨げ難い。
さらに、照明器具１０によれば、第１ＬＥＤ２０の放熱経路と、第２ＬＥＤ２５の放熱経路とが異なるために、効率的に放熱できる。
加えて、照明器具１０によれば、カバー１８を開けても、第２ＬＥＤ２５および反射板２６をユーザーが直接触れることがないため、発光効率の低下の抑制ができ、配光特性の変動がない。
さらに加えて、照明器具１０によれば、第１ＬＥＤ基板１５および第２ＬＥＤ基板１７が配線を引き回すことなく配策されるために、断線の虞がない。
【００２５】
照明器具１０によれば、第２ＬＥＤ２５が開口部２３に対応して配置されるために、第１ＬＥＤ２０の光を損失することなく、第２ＬＥＤ２０の光を同一方向に照射できる。
また、照明器具１０によれば、第１ＬＥＤ基板１５の開口部２３を第２ＬＥＤ基板１７の反射板２６の固定に利用できるために、部品点数を減少できる。
そして、照明器具１０によれば、第１ＬＥＤ２０の間に開口部２３を配置したことにより、第２ＬＥＤ２５に干渉することなく、第１ＬＥＤ２０のみで均一な配光を容易に達成できる。
加えて、照明器具１０によれば、反射板２６により、第２ＬＥＤ２５の熱を効率的に放熱できる。
【００２６】
照明器具１０によれば、第１ＬＥＤ基板１５および第２ＬＥＤ基板１７により、第１ＬＥＤ２０および第２ＬＥＤ２５の放熱を良好にできるために、第１ＬＥＤ２０および第２ＬＥＤ２５を延命できる。
また、照明器具１０によれば、第１ＬＥＤ基板１５により、第１点灯回路２１および第２点灯回路２２を放熱できる。
【００２７】
照明器具１０によれば、第１ＬＥＤ２０および第２ＬＥＤ２５が調光可能であるために、同一の配光中心であっても、照度や照射範囲を変更することができ、演出効果を向上できる。
【００２８】
照明器具１０によれば、第１ＬＥＤ２０と第２ＬＥＤ２５とを異なる種類にすることにより、配向に加えて、配色も任意に変更できる。
また、照明器具１０によれば、第１ＬＥＤ２０および第２ＬＥＤ２５のうち、点灯や調光するものを任意に選択することにより、配光切替による演出のバリエーションをさらに多くできる。
【００２９】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００３０】
図６に示すように、本発明に係る第２実施形態の照明器具３０は、第１ＬＥＤ基板の機能と第２ＬＥＤ基板の機能とを有するＬＥＤ基板３１を備える。
ＬＥＤ基板３１は、例えば金属材料や樹脂材料の成型しやすい材料により成形される。
図７に示すように、ＬＥＤ基板３１は、凹面３２と凸面３３とからなる凹凸断面を有し、凹面３２の下面に第１ＬＥＤ２０が配置され、凸面３３の下面に第２ＬＥＤ２５が配置される。
【００３１】
照明器具３０によれば、ＬＥＤ基板３１を、一枚の板金を折り曲げて凹凸を作りだすことができるので、部材を低コストで供給できる。
また、照明器具３０によれば、ＬＥＤ基板３１が、平坦な基板よりも、強度的に強くできる。同じ強度であれば、板の肉厚を薄くできるために、重量面で有利にできる。
そして、照明器具３０によれば、平らな基板に比べて表面積が拡大するために、放熱性を向上できる。
【００３２】
（第３実施形態）
次に、本発明に係る第３実施形態の照明器具について説明する。
図８に示すように、本発明に係る第３実施形態の照明器具４０は、第１凸面４２と、第１凸面４２よりも高さの高い第２凸面４３と、凹面４４とからなる凹凸断面を有するＬＥＤ基板４１を備える。
ＬＥＤ基板４１は、凹面４４の下面に第１ＬＥＤ２０が配置され、第１凸面４２および第２凸面４３の下面に第２ＬＥＤ２５が配置される。
ＬＥＤ基板４１は、第１凸面４２および第２凸面５３の内面に反射板２６が取り付けられる。
【００３３】
照明器具４０によれば、第１凸面４２および第２凸面４３の下面に配置される第２ＬＥＤ２５により、異なる配光特性を創生できるために、複数の配光による演出のバリエーションをさらに多くできる。
【００３４】
なお、本発明の照明器具において器具本体，外枠，天板，カバー等は、前述した各実施形態に限定されるものでなく、適宜な変形や改良等が可能である。
【符号の説明】
【００３５】
１０，３０，４０  照明器具
１５  第１ＬＥＤ基板（取付部材）
１７  第２ＬＥＤ基板（取付部材）
２０  第１ＬＥＤ
２１  第１点灯回路
２２  第２点灯回路
２３  開口部
２５  第２ＬＥＤ
３２，４４  凹面
３３  凸面
４２  第１凸面（凸面）
４３  第２凸面（凸面）
【図１】
2013004451.tif 000003
【図２】
2013004451.tif 000004
【図３】
2013004451.tif 000005
【図４】
2013004451.tif 000006
【図５】
2013004451.tif 000007
【図６】
2013004451.tif 000008
【図７】
2013004451.tif 000009
【図８】
2013004451.tif 000010